【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
（ａ）二価アルコールと、
（ｂ）芳香族ジカルボン酸、芳香族ジカルボン酸（Ｃ１−Ｃ３）アルキルエステル、またはそれらの組み合わせから選択される芳香族ジカルボキシ化合物と、
（ｃ）アジピン酸との重合反応生成物を含む、生分解性脂肪族−芳香族コポリエステルであって、
前記コポリエステルは、チタン、および色を低減させる量の、リン酸、亜リン酸、ホウ酸、およびそれらの組み合わせから選択される化合物を含む反応複合物であるチタン触媒の存在下で重合した生成物であり、
前記脂肪族−芳香族コポリエステルは、少なくとも２０，０００ダルトンの数平均分子量および２から６未満の多分散指数を有する、生分解性脂肪族−芳香族コポリエステル。
【請求項２】
前記芳香族ジカルボキシ化合物は、リサイクルポリエチレンテレフタレートに由来し、
さらに、前記コポリエステルはテレフタル酸ジメチル残留組成物をさらに含む、請求項１に記載のコポリエステル。
【請求項３】
前記テレフタル酸ジメチル残留組成物は、
（ａ）テレフタル酸ジメチルと、
（ｂ）０超から１０ｗｔ％未満の、イソフタル酸ジメチル、シクロヘキサンジメタノール、ジエチレングリコール、トリエチレングリコール、およびそれらの組み合わせから選択される残留成分と
を含む、請求項２に記載のコポリエステル。
【請求項４】
前記二価アルコールは、エチレングリコール、１，２−プロピレングリコール、１，３−プロピレングリコール、１，２−ブタンジオール、２，３−ブタンジオール、１，４−ブタンジオール、テトラメチルシクロブタンジオール、イソソルビド、ヘキシレングリコール、１，３−シクロヘキサンジメタノール異性体、１，４−シクロヘキサンジメタノール異性体、生物由来ジオール、またはそれらの組み合わせから選択される、前記請求項１に記載のコポリエステル。
【請求項５】
前記二価アルコールは１，４−ブタンジオール、１，３−プロパンジオール、エチレングリコール、およびそれらの組み合わせから選択される、前記請求項１に記載のコポリエステル。
【請求項６】
前記芳香族ジカルボン酸は、テレフタル酸またはそのジ（Ｃ１−３）アルキルエステル、イソフタル酸またはそのジ（Ｃ１−３）アルキルエステル、ナフタル酸またはそのジ（Ｃ１−３）アルキルエステル、およびそれらの組み合わせから選択される、前記請求項１に記載のコポリエステル。
【請求項７】
前記芳香族ジカルボン酸基は、テレフタル酸またはそのジ（Ｃ１−３）アルキルエステルに由来する、前記請求項１に記載のコポリエステル。
【請求項８】
イソフタル酸基をさらに含む、前記請求項４に記載のコポリエステル。
【請求項９】
前記チタン触媒反応複合物は、
チタン酸テトライソプロピルと、
下記から選択される反応物との反応生成物を含む、前記請求項１に記載のコポリエステル：
（１）０．５：１超から３：１以下のリン含有化合物：チタン酸テトライソプロピルのモル比であって、リン酸、亜リン酸及びそれらの混合物から選択されるリン含有化合物、
（２）０．５：１超から４：１以下のホウ素含有化合物：チタン酸テトライソプロピルのモル比のホウ酸、および
（３）それらの組み合わせ。
【請求項１０】
前記コポリエステルの総重量に基づき、０超から３００ｐｐｍ未満のリン酸及び／又は亜リン酸を含む、前記請求項１に記載のコポリエステル。
【請求項１１】
前記コポリエステルの総重量に基づき、０超から３００ｐｐｍ未満のホウ酸を含む、前記請求項１に記載のコポリエステル。
【請求項１２】
−３５℃から０℃のＴｇおよび９０℃から１６０℃のＴｍを有する、前記請求項１に記載のコポリエステル。
【請求項１３】
比色計によりＤ６５照明を用いて決定すると、少なくともＬ＊＝７４．０、ａ＊＝−１１．０、ｂ＊＝２０．０の白色度を有する、前記請求項１に記載のコポリエステル。
【請求項１４】
下記の組み合わせを含む組成物：
（ｉ）組成物の総重量に基づき、１０超から５９．９９ｗｔ％の、請求項１に記載の生分解性脂肪族−芳香族コポリエステル、
（ｉｉ）組成物の総重量に基づき、４０超から８９．９９ｗｔ％未満の、脂肪族ポリエステル類、脂肪族ポリカーボネート類、デンプン類、芳香族ポリエステル類、脂環式ポリエステル類、ポリエステルアミド類、芳香族ポリカーボネート類、およびそれらの組み合わせから選択されるメンバー、
（ｉｉｉ）組成物の総重量に基づき、０．０１から５ｗｔ％の、核形成剤、抗酸化剤、ＵＶ安定剤、可塑剤、エポキシ化合物、溶融強度添加物、またはそれらの組み合わせから選択される添加物、
（ｉｖ）組成物の総重量に基づき、０．０１から４５ｗｔ％の、アルコール類、アセテート類、アルコール−アセテートコポリマ、およびそれらの組み合わせから選択される添加物、ならびに
（ｖ）組成物の重量に基づき、０．０１から２ｗｔ％の、架橋剤、抗老化剤、レトログラデーション剤、ブロッキング防止剤、水、匂い調節剤、およびそれらの組み合わせから選択される添加物。
【請求項１５】
前記脂肪族ポリエステルは、ポリ（乳酸）類、ポリ（ヒドロキシアルカノエート）類、ポリ（ブチレンスクシネート）類、ポリ（ブチレンアジパート）類、ポリ（ブチレンスクシネートアジパート）類、ポリ（カプロラクトン）類、およびそれらの組み合わせから選択される、請求項１４に記載の組成物。
【請求項１６】
請求項１４に記載の生分解性組成物から押し出され、カレンダー加工され、押出成形され、ブロー成形され、溶液流延されまたは射出成形された物品。
【請求項１７】
物品はフィルムである、請求項１６に記載の物品。
【請求項１８】
前記生分解性組成物を押出成形またはカレンダー加工することにより形成される、請求項１７に記載のフィルム。
【請求項１９】
請求項１に記載の生分解性脂肪族−芳香族コポリエステルを製造するためのプロセスであって、下記を含むプロセス：
ａ）（１）芳香族ジカルボン酸、芳香族ジカルボン酸（Ｃ１−３）アルキルエステル、またはそれらの組み合わせから選択される芳香族ジカルボキシ化合物と、
（２）アジピン酸、アジピン酸オリゴマ、およびそれらの組み合わせから選択されるアジピン酸成分と、
（３）二価アルコールとを、
（４）前記色を低減させる化合物の存在下で、反応させる工程と、
ｂ）任意で蒸留を用いて、２Ｔｏｒｒ未満の圧力、２２０から２７０℃未満の温度で、反応混合物を真空に供し、溶融脂肪族−芳香族コポリエステルを形成させる工程。
【請求項２０】
チタン触媒組成物は、
チタン酸テトライソプロピルと、
下記から選択される反応物との反応生成物を含む、請求項１９に記載のプロセス：
（１）０．５：１超から３：１以下のリン含有化合物：チタン酸テトライソプロピルのモル比であって、リン酸及び／又は亜リン酸のリン化合物、
（２）０．５：１超から４：１以下のホウ素化合物：チタン酸テトライソプロピルのモル比のホウ酸、または
（３）それらの組み合わせ。
【請求項２１】
（ａ）二価アルコールと、
（ｂ）芳香族ジカルボン酸、芳香族ジカルボン酸（Ｃ１−Ｃ３）アルキルエステル、またはそれらの組み合わせから選択される芳香族ジカルボキシ化合物と、
（ｃ）アジピン酸との重合反応生成物を含む、生分解性脂肪族−芳香族コポリエステルであって、
前記コポリエステルは、チタン、および色を低減させる量の、リン酸、亜リン酸、ホウ酸、およびそれらの組み合わせから選択される化合物を含む反応複合物であるチタン触媒の存在下で重合した生成物であり、
前記チタン触媒反応錯体は、
チタン酸テトライソプロピルと、
（１）０．５：１超から３：１以下のリン含有化合物：チタン酸テトライソプロピルのモル比であって、リン酸、亜リン酸及びそれらの混合物から選択されるリン含有化合物、
（２）０．５：１超から４：１以下のホウ素含有化合物：チタン酸テトライソプロピルのモル比のホウ酸、および
（３）それらの組み合わせから選択される反応物と、の反応生成物を含み、
前記脂肪族−芳香族コポリエステルは、少なくとも２０，０００ダルトンの数平均分子量および２から６未満の多分散指数を有し、
前記コポリエステルは、−３５℃から０℃のＴｇ、９０℃から１６０℃のＴｍ、及び比色計によりＤ６５照明を用いて決定すると、少なくともＬ＊＝７４．０、ａ＊＝−１１．０、ｂ＊＝２０．０の白色度を有する、生分解性脂肪族−芳香族コポリエステル。